(57)【要約】【課題】起伏のある地面にテーブルを設置する際に、使用者等が簡単容易に各脚を地面の高低差に対応させることができるようにする。【解決手段】テーブル１の天板２を着脱自在に支持し、鉛直方向に対して傾斜する少なくとも３本の上脚４と、各上脚４がそれぞれ略鉛直方向を軸として回動自在に接続される連結体５と、連結体５を支持し、連結体５にそれぞれ略鉛直方向を軸として回動自在に接続され、鉛直方向に対して傾斜する少なくとも３本の下脚６と、を備え、各下脚６を回動することにより各下脚６の接地位置を選択できるようにした。【選択図】  図１
2004243024.tif 000002
【特許請求の範囲】
【請求項１】
テーブルの天板を着脱自在に支持し、鉛直方向に対して傾斜する少なくとも３本の上脚と、
各上脚がそれぞれ略鉛直方向を軸として回動自在に接続される連結体と、
連結体を支持し、該連結体にそれぞれ略鉛直方向を軸として回動自在に接続され、鉛直方向に対して傾斜する少なくとも３本の下脚と、
を備えることを特徴とするテーブル用脚装置。
【請求項２】
前記各上脚と連結体との接続部分を直列に並べるとともに、
各下脚と連結体との接続部分を、各上脚の接続部分の並び方向に直列に並べたことを特徴とする請求項１に記載のテーブル用脚装置。
【請求項３】
前記連結体は、前記天板の重心の略下方となる位置に配されることを特徴とする請求項１又は２に記載のテーブル用脚装置。
【請求項４】
前記各上脚及び前記各下脚は、前記連結体との接続部側が断面略円形で略鉛直方向に延びるよう形成され、
前記連結体に、前記各上脚及び前記各下脚の接続部側をそれぞれ受容する断面略円形の複数の穴部を形成したことを特徴とする請求項１から３のいずれか一項に記載のテーブル用脚装置。
【請求項５】
前記上脚と前記下脚と前記穴部とを同数備え、
各穴部を前記連結体を略鉛直方向に貫通して形成し、
前記各穴部の上部に前記上脚の前記接続部が受容され、前記各穴部の下部に前記下脚の前記接続部が受容されるよう構成し、
前記各上脚の前記接続部と前記各下脚の前記接続部の一方に他方に向かって延びるピンを突設し、他方にこのピンを受容するピン穴を形成し、前記各上脚と前記下脚とが互いに回動自在に接続されるようにしたことを特徴とする請求項４に記載のテーブル用脚装置。
【請求項６】
前記各上脚及び前記各下脚と、前記連結体との回動をロックするロック機構を設けたことを特徴とする請求項１から５の何れか一項に記載のテーブル用脚装置。
【請求項７】
前記各下脚に、該下脚を伸縮させる伸縮機構を設けたことを特徴とする請求項１から６のいずれか一項に記載のテーブル用脚装置。
【請求項８】
前記連結体を、少なくとも１本の上脚及び下脚が接続される少なくとも２つの分割体に分割自在に構成したことを特徴とする請求項１から７のいずれか一項に記載のテーブル用脚装置。
【請求項９】
請求項１から８のいずれか一項に記載のテーブル用脚装置と、
前記各上脚に着脱自在に支持されるとともに、前記各上脚と前記各下脚と前記連結体とを固定可能な固定部を有する天板と、
を備えたことを特徴とする組立式テーブル。
【請求１０】前記天板は、自動車車両の荷室空間に配される底板であることを特徴とする請求項９に記載の組立式テーブル。
【発明の詳細な説明】
【０００１】
【発明の属する技術分野】
本発明は、テーブル用脚装置及びこれを備えた組立式テーブルに関するものである。
【０００２】
【従来の技術】
この種の組立式テーブルとして、テーブルの天板を着脱自在に支持する４本の脚部を備えたものが一般的である（例えば、特許文献１参照。）。各脚部は、略四角形状に形成されたテーブルの各角部付近に取り付けられる。これにより、天板と各脚部とは分解して収納、運搬等され、任意の場所でテーブルが組み立てられるようになっている。
【０００３】
各脚部は、傾倒自在に構成され、天板とのなす角を多段階で変更可能となっている。すなわち、各脚部の傾斜角度をそれぞれ任意の同一傾斜角度とすることにより、天板を略水平状態としつつ、天板の高さ調整が可能となっている。
【０００４】
【特許文献１】
特開２０００−２１７６４０号公報
【０００５】
【発明が解決しようとする課題】
しかしながら、前記組立式テーブルでは、各脚が天板に同じ傾斜角度で固定されるので、この組立式テーブルを起伏のある地面に立設する場合に、各脚の接地高さが略均一とならず、天板が傾斜し、テーブルとしての使用に支障をきたすという問題点があった。
【０００６】
ここで、各脚に伸縮機構を設けて地面の高低差に対応可能な構成とすることが考えられるが、テーブルの展開時に各脚を伸縮させるとなると、使用者等はテーブルを支持して各脚が自由に伸縮できる状態として各脚の伸縮操作を行うこととなり、使用者にとって極めて不便である。
【０００７】
本発明は、前記事情に鑑みてなされたものであり、その目的とするところは、起伏のある地面にテーブルを設置する際に、使用者等が簡単容易に各脚を地面の高低差に対応させることのできるテーブル用脚装置及びこれを備えた組立式テーブルを提供することにある。
【０００８】
【課題を解決するための手段】
前記目的を達成するため、請求項１に記載の発明では、テーブル用脚装置において、テーブルの天板を着脱自在に支持し、鉛直方向に対して傾斜する少なくとも３本の上脚と、各上脚がそれぞれ略鉛直方向を軸として回動自在に接続される連結体と、連結体を支持し、該連結体にそれぞれ略鉛直方向を軸として回動自在に接続され、鉛直方向に対して傾斜する少なくとも３本の下脚と、を備えることを特徴とする。
【０００９】
請求項１に記載の発明によれば、各上脚が連結体に対して回動自在であるので、各上脚を回動させることにより、各上脚の上端が天板の取付位置に移動する。また、各下脚が連結体に対して回動自在であるので、各下脚を回動させることにより、各下脚の地面における立設位置が変更される。尚、各上脚が回動すると上端が略水平な円弧の軌跡を辿り、各下脚が回動すると下端が略水平な円弧の軌跡を辿ることとなる。
すなわち、各下脚を回動させて地面に連結体を立設させる工程と、連結体に接続された各上脚を天板に取り付ける工程と、によりテーブルが地面に立設される。
【００１０】
従って、起伏のある地面に各下脚を立設する際に、天板が略水平となる位置を各下脚ごとに選択することができ、使用者等は簡単容易に各下脚を地面の高低差に対応させてテーブルを立設することができる。
【００１１】
請求項２に記載の発明では、請求項１に記載のテーブル用脚装置において、前記各上脚と連結体との接続部分を直列に並べるとともに、各下脚と連結体との接続部分を、各上脚の接続部分の並び方向に直列に並べたことを特徴とする。
【００１２】
請求項２に記載の発明によれば、請求項１の作用に加え、各下脚が直列的に並べられているので、各下脚の連結体への取り付け位置が互いに異なり、各下脚の下端が描く軌跡が互いに異なる。従って、各下脚ごとに独立して設置位置を選択することができ、地面の起伏等に効果的に対応することができる。
また、天板を外した状態で、各上脚を互いに同じ傾斜方向となるように回動させ、各上脚を間隔をおいて直列的に平行な状態とすることができる。また、各下脚を互いに同じ傾斜方向となるよう回動させ、各下脚を間隔をおいて直列的に平行な状態とすることができる。従って、テーブルを分解して収納する場合に、各上脚及び各下脚を直列的な平行状態とすることにより、テーブル用脚装置の収納スペースを小さくすることができる。
【００１３】
また、請求項３に記載の発明では、請求項１又は２に記載のテーブル用脚装置において、前記連結体は、前記天板の重心の略下方となる位置に配されることを特徴とする。
【００１４】
請求項３に記載の発明によれば、請求項１又は２の作用に加え、連結体が天板の重心の略下方に配されることから、天板は各上脚によりバランスよく支持される。
【００１５】
従って、テーブルを地面に立設した際に、天板からの荷重が偏って連結体に作用することはなく、天板を安定的に支持することができる。
【００１６】
請求項４に記載の発明では、請求項１から３のいずれか一項に記載のテーブル用脚装置において、前記各上脚及び前記各下脚は、前記連結体との接続部側が断面略円形で略鉛直方向に延びるよう形成され、前記連結体に、前記各上脚及び前記各下脚の接続部側をそれぞれ受容する断面略円形の複数の穴部を形成したことを特徴とする。
【００１７】
請求項４に記載の発明によれば、請求項１から３のいずれか一項の作用に加え、各上脚及び各下脚の接続部側が、連結体の穴部に受容された状態で、鉛直方向を中心として回動する。
【００１８】
従って、簡単な構造で、各上脚及び各下脚の連結体に対する回動を実現することができ、実用に際して極めて有利である。
【００１９】
請求項５に記載の発明では、請求項４に記載のテーブル用脚装置において、前記上脚と前記下脚と前記穴部とを同数備え、各穴部を前記連結体を略鉛直方向に貫通して形成し、前記各穴部の上部に前記上脚の前記接続部が受容され、前記各穴部の下部に前記下脚の前記接続部が受容されるよう構成し、前記各上脚の前記接続部と前記各下脚の前記接続部の一方に他方に向かって延びるピンを突設し、他方にこのピンを受容するピン穴を形成し、前記各上脚と前記下脚とが互いに回動自在に接続されるようにしたことを特徴とする。
【００２０】
請求項５に記載の発明によれば、請求項４の作用に加え、１つの連結体の穴部に上脚及び下脚が受容される。また、各上脚及び各下脚は、連結体の穴部による拘束に加え、ピン及びピン穴によっても拘束される。
【００２１】
従って、上脚と下脚とで連結体の穴部の共用化を図り、製造コストを低減することができる。また、ピン及びピン穴により各上脚及び各下脚が確実に拘束されることから、テーブルを地面に立設した際の安定性が格段に向上する。
【００２２】
請求項６に記載の発明では、請求項１から５の何れか一項に記載のテーブル用脚装置において、前記各上脚及び前記各下脚と、前記連結体との回動をロックするロック機構を設けたことを特徴とする。
【００２３】
請求項６に記載の発明によれば、請求項１から５の何れか一項の作用に加え、ロック機構による各上脚及び各下脚とのロックが解除しておき、連結体と各下脚とが回動自在な状態で各下脚を地面に立設させ、連結体と各上脚とが回動自在な状態で各上脚を天板に取り付ける。そして、テーブルが各上脚、連結体及び各下脚により地面に立設された状態でロック機構によるロックを行う。
【００２４】
従って、各下脚の地面への立設、各上脚の天板への取付に際しては、各上脚及び各下脚を回動自在な状態とし、テーブルの立設作業が完了して使用に供される際には、各上脚及び各下脚をロック機構によりロックすることができる。すなわち、テーブルの安定的な使用が可能となる。
【００２５】
請求項７に記載の発明では、請求項１から６のいずれか一項に記載のテーブル用脚装置において、前記各下脚に、該下脚を伸縮させる伸縮機構を設けたことを特徴とする。
【００２６】
請求項７に記載の発明によれば、請求項１から６のいずれか一項の作用に加え、テーブルの立設に際し、地面の起伏に対応して各下脚を回動させた後、伸縮機構により各下脚の長さの微調整を行うことができる。
【００２７】
従って、使用者等は、より的確に各下脚を地面の高低差に対応させることができる。
【００２８】
請求項８に記載の発明では、請求項１から７のいずれか一項に記載のテーブル用脚装置において、前記連結体を、少なくとも１本の上脚及び下脚が接続される少なくとも２つの分割体に分割自在に構成したことを特徴とする。
【００２９】
請求項８に記載の発明によれば、請求項１から７のいずれか一項の作用に加え、連結体を２つ以上に分割してコンパクトにすることができ、装置の運搬作業や、テーブルの立設作業が容易となる。
【００３０】
請求項９に記載の発明では、組立式テーブルにおいて、請求項１から８のいずれか一項に記載のテーブル用脚装置と、前記各上脚に着脱自在に支持されるとともに、互いに分離した前記各上脚と前記各下脚と前記連結体とを固定可能な固定部を有する天板と、を備えたことを特徴とする。
【００３１】
請求項９に記載の発明によれば、請求項１から８のいずれか一項の作用に加え、天板に互いに分離した各上脚、各下脚及び連結体を固定することにより、天板に沿うように各部品が固定され、分解されたテーブルは略平坦な状態となる。
【００３２】
従って、テーブルの未使用時には、略平坦な状態として車両等に搭載して運搬することができるし、比較的小さなスペースに分解されたテーブルを収納することもできる。
【００３３】
請求項１０に記載の発明では、請求項９に記載の組立式テーブルにおいて、前記天板は、自動車車両の荷室空間に配される底板であることを特徴とする。
【００３４】
請求項１０に記載の発明によれば、請求項９の作用に加え、テーブル未使用時には、天板は自動車車両の荷室空間の底板として利用される。このとき、各上脚、各下脚及び連結体は天板に固定され、分解されたテーブルが略平坦な状態となっているので、テーブルが占有するスペースにより荷室空間が狭小となることはなく、荷室空間は比較的大きく確保される。
【００３５】
従って、自動車車両の乗員は、車両による移動に際しては天板を荷室空間の底板として利用し、目的地等にて車両から降車した際に、テーブルを組み立てて、テーブルをアウトドア用品として利用することができる。
【００３６】
【発明の実施の形態】
図１から図９は本発明の一実施形態を示すもので、図１は立設された組立式テーブルの外観斜視図、図２は下面にテーブル用脚装置が固定された状態を示す天板の外観斜視図、図３は自動車車両の室内の外観斜視図、図４は天板下面への上脚の取り付け状態を示す説明図、図５は連結体の分解図、図６は上脚及び下脚の分解図、図７は立設された組立式テーブルと、起立状態の折り畳み式椅子を示す外観斜視図、図８は起伏のある地面に下脚を設置させる際の説明図、図９は互いに連結された２つの組立式テーブルの外観斜視図である。
【００３７】
図１に示すように、この組立式テーブル１は、略長方形状の天板２と、天板２を支持するテーブル用脚装置３とを備えている。テーブル用脚装置３は、複数の上脚４と、各上脚４が略鉛直方向を軸として回動自在に接続される連結体５と、この連結体５を略鉛直方向を軸として回動自在に支持し地面に立設される複数の下脚６とを備えている。この組立式テーブル１の天板２とテーブル用脚装置３とは、図２に示すように分解可能であり、天板２の下面にテーブル用脚装置３を固定した状態で、自動車車両の荷室空間に収容される。図３に示すように、この組立式テーブル１の天板２は、自動車車両に収容された状態で、荷室空間の底板をなす。
【００３８】
図１に示すように、各上脚４は鉛直方向に対して傾斜するパイプ状に形成され、全部で４本備えられる。本実施形態においては、各上脚４は水平面に対して略４５°傾斜する。各上脚４の天板２側の端面は略水平となるように形成される。この端面には、天板２側と係合する取付部７が形成される。本実施形態においては、図４に示すように、取付部７は、端面の中央側から略上方へ突出する棒状部と、棒状部の上端に形成された略水平の円盤部とを有している。
【００３９】
各上脚４は、連結体５との接続部側（下側）が断面略円形で略鉛直方向に延びるよう形成される。図６に示すように、この略鉛直方向に延びる鉛直部分８は、傾斜形成された上側と略同一径に形成された同径部９と、同径部９の下側と連続し同径部９に比して小径に形成された嵌合部１０とを有している。また、嵌合部１０の下端には径方向外側に延びるフランジ１１が形成される。さらに、嵌合部１０の下面中央には、上方へ延びるピン穴１２が形成される。
【００４０】
連結体５は、天板２の重心の略下方となる位置に配される。本実施形態においては、天板２は略長方形状であることから、図１に示すように天板２の中心の略真下に配される。連結体５は、略直方体状態に形成され、図５に示すように各上脚４の嵌合部１０を受容する断面略円形の穴部１３を有している。本実施形態においては、穴部１３は連結体５を貫通するよう略鉛直方向へ延び、略水平方向へ直列に並んで４つ形成される。各穴部１３の上下中央付近には、他の部分に比して大径に形成され上脚４のフランジ１１を受容するフランジ受容部１４が形成される。これにより、図５に示すように、各穴部１３の上側に各上脚４が嵌合する。
【００４１】
図１に示すように、各下脚６は鉛直方向に対して傾斜するパイプ状に形成され、全部で４本備えられる。本実施形態においては、各下脚６は水平面に対して略４５°傾斜する。また、各下脚６は、連結体５との接続部側（上側）が断面略円形で略鉛直方向に延びるよう形成される。この略鉛直方向に延びる鉛直部分１５は、傾斜形成された下側と略同一径に形成された同径部１６と、同径部１６の上側と連続し同径部１６に比して小径に形成された嵌合部１７とを有している。また、嵌合部１７の上端には径方向外側に延びるフランジ１８が形成される。さらに、嵌合部１７の上面中央には、上脚４のピン孔１２と嵌合するピン１９が突設される。
【００４２】
図５に示すように、連結体５の各穴部１３の下側には、各下脚６の嵌合部１７が受容される。これにより、各上脚４と連結体５との接続部分が直列に並べられるとともに、各下脚６と連結体５との接続部分が各上脚４の接続部分の並び方向に直列に並べられる。各下脚６のフランジ１８は、連結体５の各穴部１３に上脚用のフランジ受容部１４と連続的に形成された、下脚用のフランジ受容部２０に受容される。これにより、各穴部１３の下側に各上脚６が嵌合する。尚、本実施形態においては、各上脚４のピン１２は、各下脚６のピン穴１９を受容する。
【００４３】
図５に示すように、連結体５は、各穴部１３の中心軸を通る断面で、第１分割体５ａと、第２分割体５ｂとに分割自在に構成される。各分割体５ａ，５ｂは、ロックねじ５ｃにより互いに連結される。第１分割体５ａには、ロックねじ５ｃと螺合するロック穴５ｄが形成され、第２分割体５ｂには、ロックねじ５ｃを挿通する挿通孔５ｅが形成される。ロックねじ５ｃは、連結体５の外部にて回動操作可能な把持部を有し、作業者はこの把持部を回動することにより、各分割体５ａ，５ｂの連結、分割を行うことができる。本実施形態においては、図１に示すように、ロックねじ５ｃは水平方向に２つ並設される。
【００４４】
これにより、ロックねじ５ｃを強固に締め付けると、各上脚４及び各下脚６が各分割体５ａ，５ｂにより比較的大きな圧力で挟持され、各上脚４及び各下脚６の回動を規制することができる。すなわち、本実施形態においては、ロックねじ５ｃが、各上脚４及び各下脚６の回動をロックするロック機構をなす。また、ロックねじ５ｃを緩めると、各上脚４及び各下脚６を挟持する圧力が減じられ、各上脚４及び各下脚６の回動が許容される。すなわち、ロックねじ５ｃの締め付け具合により、各上脚４及び各下脚６の回動を規制する力を調整することができる。
【００４５】
図１に示すように、各下脚６の下端には、略水平に形成された接地面を有する接地部２１が設けられる。この接地部２１の上部には雄ねじ部が形成され、各下脚６の下端側内部に形成された雌ねじ部と螺合する。これにより、接地部２１を回動することにより、接地部２１が上下し、各下脚６が伸縮するようになっている。本実施形態においては、各接地部２１が伸縮機構をなす。
【００４６】
図１に示すように、天板２の下面には、各上脚４の端部に形成された取付部７と係脱自在な被取付部２２が設けられる。図４に示すように、この被取付部２２は、両端が天板２に固定され、中央側が天板２から離隔する略逆ハット状に形成される。この中央側には切欠が形成され、この切欠に上脚４の棒状部が嵌入し、円盤部が天板２の下面と被取付部２２の間に侵入することにより、上脚４が天板２に固定される。
【００４７】
図２に示すように、天板２の下面には、各上脚４、連結体５、各下脚６を固定可能な固定部２３が設けられている。本実施形態においては、各上脚４と、連結体５と、各下脚６とは、互いに接続された状態で天板２に固定される。具体的には、各上脚４を回動させて互いに直列的に略平行な状態とするとともに、各下脚６を回動させて互いに直列的に略平行で各上脚４に対して略直角な状態とし、天板２の外側に沿ってテーブル用脚装置３を固定する。従って、テーブル１を分解して収納する場合に、テーブル用脚装置３の収納スペースを略平坦にして小さくすることができる。
【００４８】
固定部２３は、略平行に並んだ各上脚４の上端部を下方から拘束する上脚用ブラケット２４と、この上脚用ブラケット７を挿通し天板２の下面に形成されたねじ孔と嵌脱自在な上脚用の固定ねじ２５を有している。上脚用ブラケット２４は略コ字状に形成され、天板２とともに各上脚４を包囲する。固定ねじ２５には把持部が設けられ、手動により固定ねじ２５の嵌脱が可能となっている。
【００４９】
また、固定部２３は、連結体５を挿通し天板２の下面に形成されたねじ孔と嵌脱自在な連結体用の固定ねじ２６を有している。すなわち、本実施形態においては、連結体５にこの固定ねじ２６を挿通する挿通孔２７が形成されている。固定ねじ２６には把持部が設けられ、手動により固定ねじ２６の嵌脱が可能となっている。
【００５０】
また、固定部２３は、各下脚６の下端部を下方から拘束する下脚用ブラケット２８と、この下脚用ブラケット２８を挿通し天板２の下面に形成されたねじ孔と嵌脱自在な下脚用の固定ねじ２９と、を有している。下脚用ブラケット２８は略コ字状に形成され、天板２とともに各下脚６を包囲する。固定ねじ２９には把持部が設けられ、手動により固定ねじ２９の嵌脱が可能となっている。
【００５１】
また、図２に示すように、天板２には、テーブル用脚装置３の他、折り畳み式椅子１００が固定される。この折り畳み式椅子１００は、天板２にねじ等により固定される座板１０１と、この座板１０１に係止され略コ字状の前脚部１０２及び後脚部１０３と、を有している。前脚部１０２及び後脚部１０３は互いに回動自在に連結され、折り畳まれた状態で互いに略重なり合い座板１０１に収納される。
【００５２】
図７に示すように、前脚部１０２及び後脚部１０３は、折り畳み状態から回動させることにより展開し、起立可能な状態となる。前脚部１０２及び後脚部１０３には、弛張自在の弛張部材１０４が架け渡される。この弛張部材１０４は、前脚部１０２及び後脚部１０３が起立状態で緊張し、使用者等が着座可能な状態となる。尚、起立状態の前脚部１０２及び後脚部１０３の上端には、座板１０１が係止可能で、使用者は弛張部材１０４に着座するか、座板１０１に着座するかを選択できるようになっている。
【００５３】
図３に示すように、天板２は車両室内にて底板をなし、フロアパネル側と着脱自在となっている。本実施形態においては、天板２はスペアタイヤ収納部の上方に配される。尚、天板２を、略Ｘ字状のアーム部を備えた底板リフタに取り付け、上下方向に移動自在としてもよい。
【００５４】
以上のように構成された組立式テーブル１では、天板２に各上脚４、各下脚６及び連結体５を固定することにより、天板２に沿うように各部品が固定され、分解されたテーブル１は略平坦な状態となる。従って、テーブル１の未使用時には、略平坦な状態として車両等に搭載して運搬することができるし、比較的小さなスペースに分解されたテーブル１を収納することもできる。
【００５５】
本実施形態の組立式テーブル１においては、テーブルを使用しない場合には、天板２は自動車車両の荷室空間の底板として利用される。このとき、各上脚４、各下脚６及び連結体５は天板２に固定され、分解されたテーブル１が略平坦な状態となっているので、テーブル１が占有するスペースにより荷室空間が狭小となることはなく、荷室空間は比較的大きく確保される。従って、自動車車両の乗員は、車両による移動に際しては天板２を荷室空間の底板として利用し、目的地等にて車両から降車した際に、テーブル１を組み立てて、テーブル１をアウトドア用品として利用することができる。
【００５６】
この組立式テーブル１は、各下脚６を回動させて地面に立設させる工程と、連結体５に接続された各上脚４を天板２に取り付ける工程と、により立設される。ここで、天板２からテーブル用脚装置３を外して、組立式テーブル１を組み立てて地面に立設させる手順を説明する。
【００５７】
使用者等は、まず、各固定ねじ２５，２９を緩めて、上脚用ブラケット２４、下脚用ブラケット２８を天板２から取り外す。次いで、固定ねじ２６を緩めて、連結体５の天板２への固定を解除し、テーブル用脚装置３を天板２から離脱させる。
【００５８】
そして、ロックねじ５ｃの締め付けを緩め、各上脚４及び各下脚６を回動可能とする。この後、地面のテーブル１を立設させる場所を選択し、各下脚６を回動させて、図８に示すように、各下脚６、連結体５及び各上脚４を地面に立設する。このとき、各下脚６の接続部側が、連結体５の各穴部１３に受容された状態で、鉛直方向を中心として回動する。すなわち、各下脚６が回動すると、各下脚６の下端は略水平の円弧を描くように移動する。ここで、地面に起伏があって各下脚６の下端が略同じ高さとならない場合は、図８に示すように、各下脚６を回動して立設位置を変更する。これにより、天板２を略水平な状態で支持する立設位置を、各下脚６ごとに選択することができる。
【００５９】
次いで、各上脚４を回動させ、取付部７を天板２の取付位置へと移動させる。このとき、各上脚４の接続部側が、連結体５の各穴部１３に受容された状態で、鉛直方向を中心として回動する。すなわち、各上脚４が回動すると、各上脚４の上端は略水平の円弧を描くように移動する。本実施形態においては、天板２の各被取付部２２に取付部７を係合させることにより、図４に示すように天板２がテーブル用脚装置３に支持された状態となる。この状態で、ロックねじ５ｃを締め込み、各上脚４及び各下脚６の回動を規制する。
【００６０】
この後、下脚６のいずれかが地面に対して浮いた状態であるときは、接地部２１を回動させて接地させる。これにより、全ての下脚６が接地する。
【００６１】
このように、本実施形態のテーブル用脚装置３によれば、各下脚６を回動させることにより、各下脚６の地面における立設位置が変更され、起伏のある地面に各下脚６を立設する際に、天板２が大きく傾斜しない位置を各下脚６ごとに選択することができ、使用者等は簡単容易に各下脚６を地面の高低差に対応させてテーブル１を立設することができる。また、各上脚４を回動させることにより、天板２の被取付部２２に上脚４の取付部７を容易に係合することができる。
【００６２】
また、本実施形態のテーブル用脚装置３によれば、各下脚６が直列的に並べられているので、各下脚６の連結体５への取り付け位置が互いに異なり、各下脚６の下端が描く軌跡が互いに異なる。従って、各下脚６ごとに独立して設置位置を選択することができ、地面の起伏等に効果的に対応することができる。
【００６３】
また、本実施形態のテーブル用脚装置３によれば、連結体５が天板２の重心の略下方に配されることから、天板２は各上脚６によりバランスよく支持される。従って、テーブル１を地面に立設した際に、天板２からの荷重が偏って連結体５に作用することはなく、天板２を安定的に支持することができる。
【００６４】
また、本実施形態のテーブル用脚装置３によれば、各上脚４及び各下脚６の接続部側が、連結体５の各穴部１３に受容された状態で、鉛直方向を中心として回動するようにしてので、簡単な構造で、各上脚４及び各下脚６の連結体５に対する回動を実現することができ、実用に際して極めて有利である。
【００６５】
また、本実施形態のテーブル用脚装置３によれば、１つの連結体５の穴部１３に上脚４及び下脚６の嵌合部１０，１７が受容されるようにしたので、上脚４と下脚６とで連結体５の穴部１３の共用化を図り、製造コストを低減することができる。
【００６６】
また、本実施形態のテーブル用脚装置３によれば、各上脚４及び各下脚６は、連結体５の穴部１３による拘束に加え、ピン１２及びピン孔１９によっても拘束されるようにしたので、ピン１２及びピン孔１９により各上脚４及び各下脚６が確実に拘束されることから、テーブル１を地面に立設した際の安定性が格段に向上する。
【００６７】
また、本実施形態のテーブル用脚装置３によれば、各下脚６の地面への立設、各上脚４の天板２への取付に際しては、ロックねじ５ｃを緩めて各上脚４及び各下脚６を回動自在な状態とし、テーブル１の立設作業が完了して使用に供される際には、各上脚４及び各下脚６をロックねじ５ｃによりロックすることができる。すなわち、テーブル１の安定的な使用が可能となる。また、ロックねじ５ｃの締め付け具合により、各上脚４及び各下脚６の回動規制力を調整することができる。
【００６８】
また、本実施形態のテーブル用脚装置３によれば、テーブル１の立設に際し、地面の起伏に対応して各下脚６を回動させた後、接地部２１を回動させることにより各下脚６の長さの微調整を行うことができる。従って、使用者等は、より的確に各下脚６を地面の高低差に対応させることができる。
【００６９】
尚、前記実施形態においては、上脚４及び下脚６がそれぞれ４本設けられたものを示したが、少なくとも３本設けられていれば、上脚４及び下脚６の本数は何本であってもよいことは勿論である。
【００７０】
また、連結体５を、少なくとも１本の上脚４及び下脚６が接続される複数の分割体に分割自在に構成してもよい。この場合、連結体、各上脚及び各下脚を２つ以上に分割してコンパクトにすることができ、装置の運搬作業や、テーブルの立設作業が容易となる。
【００７１】
また、前記実施形態においては、１つの組立式テーブル１が単独で立設されるものを示したが、図９に示すように複数の組立式テーブル１を互いに連結体５にて連結されるように構成してもよい。
【００７２】
また、天板２は、略四角形状に限定されるものではなく、略円形であってもよいし、図１０に示すように略三角形状態であってもよい。例えば略正三角形状に天板が形成された組立式テーブルを連結することにより、略四角形状態のテーブルとして利用することもできる。この場合は、四角形は略菱形の状態となり、対向して着座する使用者は、互い違いの対向位置に着座することとなり、各使用者は比較的大きな開放感を得ることができる。
【００７３】
また、前記実施形態においては、各下脚６の接続部に各上脚４の接続部に向かって延びるピン１９を突設し、各上脚４にピン穴１２を形成したものを示したが、各上脚４にピンを突設し、各下脚６にピン穴を形成したものであってもよい。
【００７４】
また、前記実施形態においては、各上脚４、下脚６が嵌合する穴部１３を連結体５に略水平方向へ直列に並んで形成したものを示したが、例えば略水平方向に交互にずらして略直線的に配列したり、互いに間隔をあけずに密に配列したりして連結体５が小さくなるよう構成してもよい。
【００７５】
また、前記実施形態においては、伸縮機構として、各下脚６の下端に設けられた接地部２１が上下するものを示したが、例えば下脚を筒状に形成しておき、筒状体内部に出入自在の棒状態を配し、棒状体の出入により伸縮するものであってもよい。また、各上脚４の取付部７の構成も任意であり、例えばマグネット等を利用したものであってもよいし、その他、具体的な細部構造等についても適宜に変更可能であることは勿論である。
【００７６】
【発明の効果】
以上詳述したように、本発明のテーブル用脚装置によれば、起伏のある地面に各下脚を立設する際に、天板が大きく傾斜しない位置を各下脚ごとに選択することができ、使用者等は簡単容易に各下脚を地面の高低差に対応させてテーブルを立設することができる。
また、本発明の組立式テーブルによれば、テーブルの未使用時には、略平坦な状態として車両等に搭載して運搬することができるし、比較的小さなスペースに分解されたテーブルを収納することもできる。
【図面の簡単な説明】
【図１】本発明の一実施形態を示す立設された組立式テーブルの外観斜視図である。
【図２】下面にテーブル用脚装置３が固定された状態を示す天板の外観斜視図である。
【図３】自動車車両の室内の外観斜視図である。
【図４】天板下面への上脚の取り付け状態を示す説明図である。
【図５】連結体の分解図である。
【図６】上脚及び下脚の分解図である。
【図７】立設された組立式テーブルと、起立状態の折り畳み式椅子を示す外観斜視図である。
【図８】起伏のある地面に下脚を設置させる際の説明図である。
【図９】互いに連結された２つの組立式テーブルの外観斜視図である。
【図１０】他の実施形態を示すもので、天板が略三角形状の組立式テーブルの外観斜視図である。
【符号の説明】
１          組立式テーブル
２          天板
３          テーブル用脚装置
４          上脚
５          連結体
６          下脚
８          鉛直部分
１０        嵌合部
１２        ピン
１３        穴部
１５        鉛直部分
１７        嵌合部
１９        ピン穴
２１        接地部
２３        固定部
２４        上脚用ブラケット
２５        固定ねじ
２６        固定ねじ
２８        下脚用ブラケット
２９        固定ねじ
【図１】
2004243024.tif 000003
【図２】
2004243024.tif 000004
【図３】
2004243024.tif 000005
【図４】
2004243024.tif 000006
【図５】
2004243024.tif 000007
【図６】
2004243024.tif 000008
【図７】
2004243024.tif 000009
【図８】
2004243024.tif 000010
【図９】
2004243024.tif 000011
【図１０】
2004243024.tif 000012